(57)【要約】【課題】背材の中、いわゆる三角材を板状に切断するのに適した加工装置を提供する。【解決手段】回転可能に設けられた回転刃３・・・と、テーブル２と、テーブル２を回転刃方向に移動させる移動手段６とを備え、テーブル２には、その長さ方向の中心線に直交する方向に見た場合、その長さ方向の中心線の位置において最深部を有するＶ溝７が形成され、且つ、回転刃３・・・に対応して設けられた回転刃挿通溝５・・・が設けられている。【選択図】図１
2005246666.tif 000002
【特許請求の範囲】
【請求項１】
回転可能に設けられた回転刃と、テーブルと、前記テーブルを回転刃方向に移動させる移動手段とを備え、
前記テーブルには、その上面の所定形状が形成され、且つ、前記回転刃に対応して設けられた回転刃挿通溝が設けられている、加工装置。
【請求項２】
前記テーブルの上面の所定形状が、切断される被切断材の前記テーブルの上面に接する面に対し反転形状にされている、請求項１に記載の加工装置。
【請求項３】
前記テーブルの上面の所定形状が、その長さ方向の中心線に直交する方向に見た場合、その長さ方向の中心線の位置において最深部を有するＶ溝が形成された形状、その長さ方向の中心線に直交する方向に見た場合、その長さ方向の中心線の位置において最深部を有するＵ溝が形成された形状及び平面形状の群から選択されるいずれかの形状を有している、請求項１に記載の加工装置。
【請求項４】
前記テーブルが、その上面の所定形状が、その長さ方向の中心線に直交する方向に見た場合、その長さ方向の中心線の位置において最深部を有するＶ溝が形成された形状を有するテーブル、その長さ方向の中心線に直交する方向に見た場合、その長さ方向の中心線の位置において最深部を有するＵ溝が形成された形状を有するテーブル又は平面形状のテーブルのいずれかに交換可能にされている、請求項１に記載の加工装置。
【請求項５】
前記テーブルの回転刃側の端部に起立壁が設けられており、テーブルの上面に設置された、切断される被切断材の回転刃から遠い方の端部から起立壁に押し付ける押さえ手段を備える、請求項１〜４のいずれかに記載の加工装置。
【請求項６】
前記起立壁が、前記テーブルとは、別体にされており、前記テーブルの回転刃を通過した後の停止位置において、前記起立壁をテーブルの横方向に移動させる起立壁移動手段を備える、請求項５に記載の加工装置。
【発明の詳細な説明】
【技術分野】
【０００１】
本発明は、木材等を切断する加工装置に関し、特に、背材の中、いわゆる三角材を板状に切断するのに適した加工装置に関する。
【背景技術】
【０００２】
杉等の木材は、角材として切り出され、角材又は角材を切り出した後の背材は、例えば、割り箸等の原料に用いられている。
【０００３】
図７は、板材を切り出す加工装置を概略的に示す構成図である。
【０００４】
従来の加工装置１０１は、被切断材Ｍを、押さえ部材１０４・・・により上方から下方に押さえつけ、移動手段１０６によって、回転刃１０３・・・方向に移動し、回転駆動させている回転刃１０３・・・により板材に加工している。
【特許文献１】特開２００３−１９１２０１号  また、例えば、割り箸は、背材から製造されている。
【０００５】
図８（ａ）〜図８（ｃ）は、そのような背材から割り箸を製造する工程を模式的に示す工程図である。
【０００６】
割り箸は、図８（ａ）に示すように、杉の丸太から角材を取った後の背板Ｍｒを原料とし、背板Ｍｒの表面の皮を除いて天日で乾燥させた後、かまぼこ形状の原料を割り箸の長さに切断し、その後、切断面をグラインダーできれいに磨いたもの（被切断材Ｍ）を用意し、これを、複数の回転刃を有する加工装置（図示せず。）を用い、厚さ約６ｍｍの板Ｂ・・・に切断する（図８（ｂ）及び図８（ｃ）を参照）。
【０００７】
以上の工程により製造した板Ｂ・・・を水槽に漬けてあく抜きをするとともに、加工し易いように柔らかくする。
【０００８】
次に、そば取りをし、板の両面をかんなで削ってきれいにする。
【０００９】
その後、割り箸の形状に切断し、その中央部に割れ目を入れる。
【００１０】
その後、削げ箸、利休箸、卵中（一本利休）、元禄箸等、目的とする箸の形状に加工する。
【発明の開示】
【発明が解決しようとする課題】
【００１１】
ところで、角材ＳＬを取り出した後の端材Ｍｏ中に、図９に示すような三角材Ｍｔができることがある。
【００１２】
このような三角材Ｍｔを従来の加工装置１０１のような装置を使用して板に加工するために、三角材Ｍｔをその一側面を下にして、例えば、テーブル（図示せず。）に載せ置き、押さえ部材１０４により、テーブル（図示せず。）上に載置した、三角材Ｍｔを、押さえ部材１０４とテーブル（図示せず。）との間に挟持しようとすると、この工程において、三角材Ｍｔが横に倒れたりし、テーブル（図示せず。）上への三角材Ｍｔの固定が困難である、という問題がある。
【００１３】
また、割り箸は、その正面に対し、年輪が概ね９０度方向に入っているものが高級品とされるが、従来の加工装置１０１を使用して、三角材Ｍｔを板にした場合には、板の表面に対し、年輪が概ね９０度方向にならないために、高級品の割り箸が製造できない、という問題がある。
【００１４】
このようなことから、三角材Ｍｔは、廃棄されたり、パルプの原料にされたりしているのが実情であり、有効利用されていない。
【００１５】
本発明は、以上のような問題を解決するためになされたものであって、特に、木材から角材を取り出した後の三角材を、容易に板に加工し、しかも、そのような板の表面には年輪が概ね９０度方向に入っており、例えば、高級品として箸の原料となる板を切り出すことができる、背材の中、いわゆる三角材を板状に切断するのに適した加工装置を提供することを目的としている。
【００１６】
更に又、本発明は、断面視した場合、半円形状、四角形状等の被切断材を容易に板に加工できる、加工装置を提供することを目的としている。
【課題を解決するための手段】
【００１７】
請求項１に記載の加工装置は、回転可能に設けられた回転刃と、テーブルと、テーブルを回転刃方向に移動させる移動手段とを備え、テーブルには、その上面の所定形状が形成され、且つ、回転刃に対応して設けられた回転刃挿通溝が設けられている。
【００１８】
請求項２に記載の加工装置は、請求項１に記載の加工装置の、テーブルの上面の所定形状が、切断される被切断材のテーブルの上面に接する面に対し反転形状にされている。
【００１９】
請求項３に記載の加工装置は、請求項１に記載の加工装置の、テーブルの上面の所定形状が、その長さ方向の中心線に直交する方向に見た場合、その長さ方向の中心線の位置において最深部を有するＶ溝が形成された形状、その長さ方向の中心線に直交する方向に見た場合、その長さ方向の中心線の位置において最深部を有するＵ溝が形成された形状及び平面形状の群から選択されるいずれかの形状を有している。
【００２０】
請求項４に記載の加工装置は、請求項１に記載の加工装置の、テーブルが、その上面の所定形状が、その長さ方向の中心線に直交する方向に見た場合、その長さ方向の中心線の位置において最深部を有するＶ溝が形成された形状を有するテーブル、その長さ方向の中心線に直交する方向に見た場合、その長さ方向の中心線の位置において最深部を有するＵ溝が形成された形状を有するテーブル又は平面形状のテーブルのいずれかに交換可能にされている。
【００２１】
請求項５に記載の加工装置は、請求項１〜４のいずれかに記載の加工装置の、テーブルの回転刃側の端部に起立壁が設けられており、テーブルの上面に設置された、切断される被切断材の回転刃から遠い方の端部から起立壁に押し付ける押さえ手段を備える。
【００２２】
請求項６に記載の加工装置は、請求項５に記載の加工装置の、起立壁が、テーブルとは、別体にされており、テーブルの回転刃を通過した後の停止位置において、起立壁をテーブルの横方向に移動させる起立壁移動手段を備える。
【発明の効果】
【００２３】
請求項１に記載の加工装置では、テーブルの上面の所定形状を形成し、且つ、回転刃に対応して設けられた回転刃挿通溝を設けているので、テーブルの上面に被切断材を載せた状態で、回転刃を回転駆動させ、移動手段を回転刃方向に移動させることで、被切断材を、板に切断することができる。
【００２４】
請求項２に記載の加工装置では、テーブルの上面の所定形状が、切断される被切断材のテーブルの上面に接する面に対し反転形状にしているので、切断される被切断材のテーブルの上面に接する面が、テーブルの上面に設けられている、切断される被切断材のテーブルの上面に接する面に対し反転形状に嵌り合うことになるので、安定した状態で、被切断材を板に加工することができる。
【００２５】
請求項３に記載の加工装置では、特に、テーブルの上面の所定形状を、その長さ方向の中心線に直交する方向に見た場合、その長さ方向の中心線の位置において最深部を有するＶ溝が形成された形状にした場合には、三角材を、そのＶ字形状の部分を、テーブルの上面に設けられているＶ溝内に収容することで、容易に板に加工できる。しかも、そのようにして加工された板の表面には、年輪が概ね９０度方向に入っているので、例えば、高級品として箸の原料となるようにして、板を切り出すことができる、という特有の効果がある。
【００２６】
また、テーブルの上面の所定形状を、その長さ方向の中心線に直交する方向に見た場合、その長さ方向の中心線の位置において最深部を有するＵ溝が形成された形状にした場合には、断面視した場合、かまぼこ形状（略半円形状）、扇形形状の被切断材の曲面側を、テーブルの上面に設けられているＵ溝内に収容要することで、容易に板に加工できる。しかも、そのようにして加工された板の表面には、年輪が概ね９０度方向に入っているので、例えば、高級品として箸の原料となるようにして、板を切り出すことができる、という特有の効果がある。
【００２７】
また、テーブルの上面の所定形状を、平面形状にした場合には、被切断材の平面が、テーブルの上面に向き合うようにして、テーブル上に、被切断材を載置することで、容易に板に加工できる。
【００２８】
請求項４に記載の加工装置では、テーブルの上面の所定形状を、その長さ方向の中心線に直交する方向に見た場合、その長さ方向の中心線の位置において最深部を有するＶ溝が形成された形状を有するテーブル、その長さ方向の中心線に直交する方向に見た場合、その長さ方向の中心線の位置において最深部を有するＵ溝が形成された形状を有するテーブル又は平面形状のテーブルのいずれかに交換可能にしているので、被切断材の形状に合わせて、一番、被切断材が、テーブル上に安定した状態になる形状を有するテーブルを選択することで、安定した状態で、被切断材を板に加工できる。
【００２９】
請求項５に記載の加工装置では、被切断材を上方からテーブル方向に押さえるようにして、被切断材をテーブルに固定するのではなく、被切断材の端部と端部とを起立壁と押さえ部材とにより挟持するようにしているので、回転刃を用いて、被切断材を板に加工する際に、被切断材が三角材のような場合に、三角材を上方からテーブル方向に押さえるようにした場合に見られるような、三角材が倒れたりはねたりするような現象が生じない、この結果、この加工装置を用いれば、特に、三角材を、容易に、板に加工できる。
【００３０】
請求項６に記載の加工装置では、起立壁を、テーブルとは、別体にし、テーブルの回転刃を通過した後の停止位置において、起立壁移動手段により、起立壁をテーブルの横方向に移動させるようにしたので、加工装置から板を取り出す際に、起立壁が邪魔にならない。
【００３１】
即ち、この加工装置を用いれば、被切断材を板に加工した後において、板を加工装置から取り出しやすい、という効果がある。
【発明を実施するための最良の形態】
【００３２】
以下、本発明に係る加工装置の一例を、更に、詳しく説明する。
【００３３】
ここでは、被切断材として、三角材を用い、三角材を板に加工する場合を例にして説明する。
【００３４】
図１は、本発明に係る加工装置の一例を概略的に示す斜視図である。
【００３５】
また、図２は、図１に示す加工装置の動作を模式的に示す説明図である。
【００３６】
この加工装置１は、テーブル２と、所定の間隔を隔てるようにして設けられ、回転可能に設けられた回転刃３・・・とを備える。
【００３７】
テーブル２は、回転刃３・・・の各々に対応する回転刃挿通溝５・・・を有する。
【００３８】
また、テーブル２は、移動手段６により回転刃３・・・方向に移動可能にされている。
【００３９】
テーブル２には、その長さ方向の中心線に直交する方向に見た場合、その長さ方向の中心線の位置において最深部を有するＶ溝７が形成されている。
【００４０】
また、この例では、回転刃３・・・は、図１に示すように片持ち支持されている。
【００４１】
即ち、この例では、回転刃３・・・を、図１に示すように片持ち支持するようにしたので、三角材から板を切り出す際に、板の厚さを変える場合、回転刃３と回転刃３との間の間隔を変えるために、刃固定ナット２１を回転刃３・・・取り付け軸から取り外し、回転刃３、所望の厚さのスペーサを、順次、取り外し、次に、回転刃３、取り外したスペーサとは別の所望の厚さを有するスペーサを、順次、取り付ける等することで、回転刃３及びスペーサの交換を容易に行うことができるようにしている。
【００４２】
尚、この例では、移動手段６は、ねじが切られた棒状体６１と、棒状体６１に設けられたねじと螺合するねじが切られた中空部を有する移動体６２と、棒状体を回転させる棒状体回転駆動手段６３とを備える。
【００４３】
この例では、棒状体回転駆動手段６３として、電動モータ（サーボモータ）を用いている。
【００４４】
テーブル２は、移動体６２の上に固定されている。
【００４５】
また、テーブル２は、レール手段１０、１０により、ガイドされている。
【００４６】
また、この加工装置１は、テーブル２の回転刃３・・・側の端部に起立壁８を備える。
【００４７】
また、この加工装置１は、テーブル２に設けられたＶ溝７に収容された三角材Ｔを、三角材Ｔの回転刃３・・・から遠い方の端部から起立壁８に押し付ける押さえ手段４を備える。
【００４８】
押さえ手段４は、テーブル２上に設けられ、横方向に伸縮自在に設けられたシリンダー１１により、テーブル２に設けられたＶ溝７に収容された三角材Ｔを、三角材Ｔの回転刃３・・・から遠い方の端部から起立壁８に押し付けることができるようになっている。
【００４９】
また、この加工装置１は、起立壁８、テーブル２は、別体にされている。
【００５０】
また、この加工装置１は、テーブル２の回転刃３・・・を通過した後のテーブル停止位置において、起立壁８をテーブル２の横方向に移動させる起立壁移動手段９を備える。
【００５１】
起立壁移動手段９は、テーブル２の、回転刃３・・・に近い側に設けられている。
【００５２】
尚、図１中、１２で示す部材装置は、回転刃３・・・を所定の速度で回転させる回転刃駆動手段（図示せず。）、及び、加工装置１の構成部材の動作を制御する制御手段を収容した制御ボックスを示している。
【００５３】
また、図３は、加工装置１を使用して、三角材から板を製造した後、加工装置１から板を取り出す機構を概略的に示す図であり、図３（ａ）はその平面図を示しており、又、図３（ｂ）は、その断面図を示している。
【００５４】
また、図４は、加工装置１に設けられている、板取り出し部を概略的に示す斜視図である。
【００５５】
加工装置１は、テーブル２の回転刃３・・・を通過した後の停止位置の上方位置に、板取り出し手段１３を備える。
【００５６】
板取り出し手段１３は、横方向に伸縮自在に設けられたシリンダー１３ａと、シリンダー１３ａの先端に設けられ、縦方向に伸縮自在に設けられたシリンダー１３ｂと、シリンダー１３ｂの先端に設けられている板取り出し部１３ｃとを備える。
【００５７】
板取り出し部１３ｃは、テーブル２に形成されているＶ溝に対応した形状を有している。
【００５８】
次に、この加工装置１を用いて、三角材Ｔから板Ｂを製造する工程を説明する。
【００５９】
まず、この加工装置１の、三角材収容位置に位置しているテーブル２のＶ溝７内に、三角材Ｔを収容する（図１及び図２を参照）。
【００６０】
次に、シリンダー１１を用い、押さえ部材４を回転刃３・・・方向に移動させ、起立壁８と押さえ部材４とにより、三角材収容位置に位置しているテーブル２のＶ溝７内に、三角材Ｔを挟持する。
【００６１】
次に、回転刃駆動手段（図示せず。）を動作状態にし、回転刃３・・・を所定の回転速度で回転駆動する。
【００６２】
次に、移動手段６の棒状体回転駆動手段６３を駆動状態にし、棒状体６１を回転駆動する。
【００６３】
棒状体６１には、ねじが切られており、移動体６２の中空部には、棒状体６１のねじに螺合するねじが切られており、テーブル２は、レール手段１０、１０にガイドされているので、棒状体６１を一方向に回転させると、移動体６２が、回転刃３・・・方向に螺進する。
【００６４】
この操作を、テーブル２が回転刃３・・・を通過し、テーブル停止位置に到達するまで継続する。
【００６５】
尚、この例では、回転駆動手段６３は、パルス数により回転数（移動距離）を、パルス間隔により、回転速度（移動距離）を制御するようにしている。
【００６６】
テーブル２のＶ溝７内に収容されている三角材Ｔは、回転刃３・・・を通過する際に、板に切断される。
【００６７】
この例では、テーブル２が、回転刃３・・・を通過し、テーブル停止位置に到達すると、シリンダー１１を縮めることで、押さえ部材４を板から離すようになっている。その後、起立壁移動手段９が駆動し、起立壁８を横方向に移動させる（図３（ａ）を参照）。
【００６８】
次に、板取り出し手段１３のシリンダー１３ｂを伸すことで、板取り出し部１３ｃを、板と押さえ部材４との間に位置させた後、板取り出し手段１３のシリンダー１３ａを縮めることで、テーブル２のＶ溝７内に収容されている板をＶ溝７から所定の場所に排出する（図４を参照）。
【００６９】
以上の作業を終了すると、この加工装置１は、元の初期状態に戻るようにしてある。
【００７０】
以上、説明したように、この加工装置１を用いれば、従来、廃棄される運命にあった、三角材を板として、有効利用することができる。
【００７１】
図５は、加工装置１によって切断された板を模式的に示す図であり、図５（ａ）は、テーブル２のＶ溝７内の板に切断された三角材の状態を示しており、また、図５（ｂ）は、三角材Ｔを板にした後の、板の正面を示している。
【００７２】
この加工装置１を用いて三角材Ｔを板にした場合、板の正面には、年輪が、概ね９０度に現れる。
【００７３】
従って、例えば、この板を原料にして、割り箸を製造した場合、箸の正面に年輪が、概ね９０度に現れる高級品の箸を製造することができる。
【００７４】
また、三角材Ｔを上方からテーブル２方向に押さえるようにして、三角材Ｔをテーブル２に固定するのではなく、三角材Ｔの端部と端部とを起立壁８と押さえ部材４とにより挟持するようにしているので、回転刃３・・・を用いて、三角材Ｔを板に加工する際に、三角材Ｔを上方からテーブル２方向に押さえるようにした場合に見られるような、三角材Ｔが倒れたりはねたりするような現象が生じない、この結果、この加工装置１を用いれば、三角材Ｔを、容易に、板に加工できる。
【００７５】
また、この加工装置１では、起立壁８を、テーブル２とは、別体にし、テーブル２の回転刃３・・・を通過した後の停止位置において、起立壁移動手段９により、起立壁８をテーブル２の横方向に移動させるようにしたので、加工装置１から板を取り出す際に、起立壁８が邪魔にならない。
【００７６】
即ち、この加工装置１を用いれば、被切断材（この例では、三角材）を板に加工した後において、板を加工装置１から取り出しやすい、という効果もある。
【００７７】
尚、以上の説明では、被切断材が三角材である場合に好適な加工装置を中心に説明したが、本発明に係る加工装置は、被切断材が三角材である場合に好適な加工装置に限定されることはない。
【００７８】
図６（ａ）及び図６（ｂ）の各々は、本発明に係る加工装置の他のテーブルの形状を例示的、概略的に示す斜視図である。
【００７９】
図６（ａ）に示すテーブル２Ａは、その上面の形状が、平面形状になっている
本発明に係る加工装置のテーブルとして、テーブル２Ａを使用した場合は、被切断材（図示せず。）の平面が、テーブル２Ａの上面に向き合うようにして、テーブル２Ａ上に、被切断材（図示せず。）を載置することで、容易に板に加工できる。
【００８０】
また、図６（ｂ）に示すテーブル２Ｂは、その上面の形状が、テーブル２Ｂの長さ方向の中心線に直交する方向に見た場合、その長さ方向の中心線の位置において最深部を有するＵ溝７Ｂが形成された形状を有する。
【００８１】
本発明に係る加工装置のテーブルとして、テーブル２Ｂを使用した場合は、被切断材（図示せず、）の形状が、断面視した場合、かまぼこ形状（略半円形状）、扇形形状のものを、その被切断材の曲面側を、テーブルの上面に設けられているＵ溝内に収容要することで、容易に板に加工できる。しかも、そのようにして加工された板の表面には、年輪が概ね９０度方向に入っていうので、例えば、高級品として箸の原料となるようにして、板を切り出すことができる。
【００８２】
更には、本発明に係る加工装置では、テーブルを、テーブル２、テーブル２Ａ及びテーブル２Ｂのいずれかに交換可能にしてもよい。
【００８３】
本発明に係る加工装置のテーブルを、テーブル２、テーブル２Ａ及びテーブル２Ｂのいずれかに交換可能にした場合には、被切断材（図示せず。）の形状に合わせて、一番、被切断材（図示せず。）が、テーブル上に安定した状態になる形状を有するテーブル（テーブル２、テーブル２Ａ及びテーブル２Ｂのいずれか）を選択することで、安定した状態で、被切断材を板に加工できる。
【産業上の利用可能性】
【００８４】
本発明に係る加工装置は、例えば、廃棄物となっている、木材の角材を取り出した後の背板（端材）の中、例えば、三角材を板状に切断するのに適しており、しかもその表面に対し、年輪が概ね９０度方向に入っている板を製造できる。
【００８５】
また、本発明に係る加工装置は、三角材、平面を有する被切断材、断面視した場合、かまぼこ形状（略半円形状）、扇形形状の被切断材その他各種形状の被切断材を容易に板に加工できる。
【図面の簡単な説明】
【００８６】
【図１】本発明に係る加工装置の一例を概略的に示す斜視図である。
【図２】図１に示す加工装置の動作を模式的に示す説明図である。
【図３】図１に示す加工装置を使用して、三角材から板を製造した後、加工装置から板を取り出す機構を概略的に示す図であり、図３（ａ）はその平面図を示しており、又、図３（ｂ）は、その断面図を示している。
【図４】図１に示す加工装置に設けられている、板取り出し部を概略的に示す斜視図である。
【図５】図１に示す加工装置によって切断された板を模式的に示す図であり、図５（ａ）は、テーブルのＶ溝内の板に切断された三角材の状態を示しており、また、図５（ｂ）は、三角材を板にした後の、板の正面を示している。
【図６】図６（ａ）及び図６（ｂ）の各々は、本発明に係る加工装置の他のテーブルの形状を例示的、概略的に示す斜視図である。
【図７】従来の加工装置を概略的に示す斜視図である。
【図８】図８（ａ）〜図８（ｃ）は、背材から割り箸を製造する工程を模式的に示す工程図である。
【図９】木材から角材を取り出した後の、端材の形状を模式的に示す図である。
【符号の説明】
【００８７】
１  加工装置
２、２Ａ、２Ｂ  テーブル
３  回転刃
４  押さえ部材
５  回転刃挿通溝
６  移動手段
７  Ｖ溝
７Ｂ  Ｕ溝
８  起立壁
９  起立壁移動手段
【図１】
2005246666.tif 000003
【図２】
2005246666.tif 000004
【図３】
2005246666.tif 000005
【図４】
2005246666.tif 000006
【図５】
2005246666.tif 000007
【図６】
2005246666.tif 000008
【図７】
2005246666.tif 000009
【図８】
2005246666.tif 000010
【図９】
2005246666.tif 000011